(57)【要約】  【課題】  ドア内部からドア外部へのワイヤハーネス配索の作業性を高める。  【解決手段】  自動車用ドアのアウターパネルおよびインナーパネルが樹脂製で、該アウターパネルとインナーパネルとの端縁が接着剤で固着されて形成される内部空間に配索されて、車体側へと引き出されるワイヤハーネスの配索構造であって、インナーパネルの端縁からグロメット嵌合用の切欠が設けられ、該切欠の周縁より前記内部空間へと突出するグロメット固着リブが突設される一方、ワイヤハーネスに外装するグロメットは前記切欠および前記グロメット固着リブに嵌合して接着剤に固着されると共に、該グロメットの上面がアウターパネルの内面に接着剤で固着される。  【選択図】  図３
2006240382.tif 000002
【特許請求の範囲】
【請求項１】
自動車用ドアのアウターパネルおよびインナーパネルが樹脂製で、該アウターパネルとインナーパネルとの端縁が接着剤で固着されて形成される内部空間に配索されて、車体側へと引き出されるワイヤハーネスの配索構造であって、
前記インナーパネルの端縁からグロメット嵌合用の切欠が設けられ、該切欠の周縁より前記内部空間へと突出するグロメット固着リブが突設される一方、
前記ワイヤハーネスに外装するグロメットの外周面は、前記切欠に内嵌すると共に、該切欠より内部空間側へ突出するグロメットの外周面は、前記グロメット固着リブに密着する第一面と、前記アウターパネルの内面に密着する第二面とからなり、
前記グロメットは前記切欠に嵌合されて、該グロメットより前記ワイヤハーネスがドア外部へと引き出され、前記グロメットの前記第一面が前記グロメット固着リブに接着剤で固着されると共に、前記第二面がアウターパネルの内面に接着剤で固着されることを特徴とする自動車ドア用ワイヤハーネスの配索構造。
【請求項２】
前記グロメット嵌合用の切欠は凹状とされると共に前記グロメット固着リブも凹形状とする一方、前記グロメットは上面が斜辺とされる四角筒部を備え、該四角筒部の前記斜辺の上面がアウターパネルの内面に固着されると共に底面と両側面が前記グロメット固着リブに固着される請求項１に記載の自動車ドア用ワイヤハーネスの配索構造。
【請求項３】
前記グロメット固着リブの内周面より位置決めリブが突設され、該位置決めリブが前記グロメットの四角筒部の外周面に凹設された溝に嵌合される請求項２に記載の自動車ドア用ワイヤハーネスの配索構造。
【請求項４】
前記自動車用ドアはルーフにヒンジ結合されるバックドアからなり、該バックドアのインナーパネルの上端縁に前記グロメット嵌合用切欠が設けられ、該インナーパネルと前記アウターパネルの上端縁より引き出されるワイヤハーネスは車体のルーフパネルへと配索される請求項１乃至請求項３のいずれか１項に記載の自動車ドア用ワイヤハーネスの配索構造。
【発明の詳細な説明】
【技術分野】
【０００１】
本発明は自動車ドア用ワイヤハーネスの配索構造に関し、詳しくは、自動車のドアと車体との間に配索されるワイヤハーネスをドア側のパネルを貫通させずに配索できるようにするものである。
【背景技術】
【０００２】
自動車用のドアに配索されるワイヤハーネスは、ドアのアウターパネルとインナーパネルの内部に配索されて、車体側へと引き出されている。
例えば、図８に示すようなハッチバック式自動車のバックドア１の場合、ドアパネル本体を構成するアウターパネル２とインナーパネル３との間の内部空間に、ハイマウントストップランプ、ワイパー、リア熱線、キースイッチ等に電力を供給するためのワイヤハーネスＷを配索し、インナーパネル３に穿設された貫通穴４を通してルーフパネル６へと引き出されている。（特開２０００−８５４９１号公報）
【０００３】
前記バックドア１では、グロメット５を外装したワイヤハーネスＷを、インナーパネル３に穿設された貫通穴４に貫通させて取り付けている。しかしながら、ワイヤハーネスの先端にはコネクタが接続されているため、ワイヤハーネスＷを貫通穴４に貫通させる作業は手数がかかり、作業性を低下させる問題があった。
【０００４】
前記したアウターパネル２、インナーパネル３からなるドアパネルは、車体パネルと同様に従来は金属板から形成されているが、近時、特開２００４−９８８８号公報に開示されているように、成形性、軽量性や接合作業性などに優れている点より、樹脂製としたパネルが提案されている。
【０００５】
【特許文献１】特開２０００−０８５４９１号公報
【特許文献２】特開２００４−９８８８号公報
【発明の開示】
【発明が解決しようとする課題】
【０００６】
本発明は前記問題に鑑みてなされたもので、自動車用ドアが樹脂製のパネルからなるものにおいて、ドアパネル側から車体へと引き出されるワイヤハーネスをドアパネルに設けた貫通穴を通さずに配索できるように、自動車ドア用ワイヤハーネスの配索作業を容易とすることを課題としている。
【課題を解決するための手段】
【０００７】
前記課題を解決するために、本発明は、自動車用ドアのアウターパネルおよびインナーパネルが樹脂製で、該アウターパネルとインナーパネルとの端縁が接着剤で固着されて形成される内部空間に配索されて、車体側へと引き出されるワイヤハーネスの配索構造であって、
前記インナーパネルの端縁からグロメット嵌合用の切欠が設けられ、該切欠の周縁より前記内部空間へと突出するグロメット固着リブが突設される一方、
前記ワイヤハーネスに外装するグロメットの外周面は、前記切欠に内嵌すると共に、該切欠より内部空間側へ突出するグロメットの外周面は、前記グロメット固着リブに密着する第一面と、前記アウターパネルの内面に密着する第二面とからなり、
前記グロメットは前記切欠に嵌合されて、該グロメットより前記ワイヤハーネスがドア外部へと引き出され、前記グロメットの前記第一面が前記グロメット固着リブに接着剤で固着されると共に、前記第二面がアウターパネルの内面に接着剤で固着されることを特徴とする自動車ドア用ワイヤハーネスの配索構造を提供している。
【０００８】
本発明では、樹脂製のドアパネルからなるものにおいて、該樹脂製のドアパネルではアウターパネルとインナーパネルとの間にワイヤハーネスが配索された後に、アウターパネルとインナーパネルとの周縁が接着剤で固着されて一体化される点に着目してなされたものである。
前記したように、アウターパネルと接着する前のインナーパネルの内部にワイヤハーネスを配索し、該ワイヤハーネスに取り付けたグロメットをグロメット固着リブの内部に通すと共にインナーパネルに設けた嵌合用の切欠に差し込んで嵌合し、ドア外部へと引き出している。即ち、貫通穴にワイヤハーネスを貫通させるのではなく切欠に開口端縁より差し込むだけであるため、作業性は極めて容易となる。該グロメットをグロメット固着リブに接着剤で固着した後、アウターパネルをインナーパネルの外面に被せ、その端縁同士を接着剤で固着する際に、グロメットをアウターパネルの内面と固着している。
このように、ワイヤハーネスの配索作業を所謂貫通レスで行うことができると当時に、グロメットの外周面の全面をインナーパネルのグロメット固着リブとアウターパネル内面に接着剤で固着していることにより、グロメットとドアパネルとの間には浸水が発生する隙間を完全に無くすことができ、止水性能も高めることが出来る。
また、前記グロメット固定リブとグロメット、該グロメットとアウターパネルとを接着するために用いる接着剤は、樹脂製のインナーパネルとアウターパネルとの接合に使用する接着剤と同一種類の接着剤を用いており、製造ラインにおいて接着剤の使い分けを不要としていることが好ましい。
【０００９】
前記グロメット嵌合用は切欠は凹状とされると共に前記グロメット固着リブも凹形状とされる一方、前記グロメットは上面が斜辺とされる四角筒部を備え、該四角筒部の前記斜辺の上面がアウターパネルの内面に固着されると共に底面と両側面が前記グロメット固着リブに固着されることが好ましい。
【００１０】
このように、このグロメットの室内側面を平面とすることにより、インナーパネルのグロメット固着リブとの接着が容易となると共に、該グロメットの外周面の上面を斜辺とすることにより、アウターパネルの形状に添わせて、アウターパネルとの接着も容易とすることができる。
なお、グロメットの嵌合筒部の形状は、その外周面を、底面から両側面にかけて略Ｕ字状に湾曲させた形状としてもよい。その場合、前記グロメット固着用リブおよび切欠の形状も対応させて略Ｕ字状とされる。
【００１１】
前記グロメット固着リブの内周面より位置決めリブが突設され、該位置決めリブが前記グロメットの四角筒部の外周面に凹設された溝に嵌合される構成としてもよい。
該構成とすると、グロメットがインナーパネルに対して正規位置に位置決め保持でき、四角筒部とグロメット固着リブとの接着作業も容易となると共に、シール性も高めることができる。
【００１２】
本発明は、自動車用ドアのルーフにヒンジ結合されるバックドアからルーフへと架け渡されるワイヤハーネスに好適に用いられる。即ち、樹脂製品からなるインナーパネルとアウターパネルを備えたバックドアにおいて、インナーパネルの上端縁に前記グロメット嵌合用切欠を設け、インナーパネルの上端縁に切欠を設けてワイヤハーネスをドア外部へと引き出し、該インナーパネルにアウターパネルを接着剤で固着している。
【発明の効果】
【００１３】
上述したように、本発明は、樹脂成形品からなるインナーパネルとアウターパネルとで構成するドアパネルを備えた自動車において、該インナーパネルとアウターパネルとを接着剤で固定して一体化する点を利用して、インナーパネルとアウターパネルの内部を通るワイヤハーネスを、インナーパネルに設けた切欠にワイヤハーネスを差し込むだけでドアより外方へ引き出すこうとができ、貫通レスで配索できることよりワイヤハーネスの配索作業性を高めることができる。
さらに、グロメット固着用リブに通す部分のグロメットは、その外周面の全面がグロメット固着用リブとアウターパネルの内面に接着剤で固着されるため、止水性能も高めることができる。
【発明を実施するための最良の形態】
【００１４】
以下、本発明の実施形態を図面を参照して説明する。
図１乃至図５は本発明の実施形態を示し、図１に示すように、ハッチバック式自動車のルーフ１２にヒンジ結合されるバックドア１１の内部に配索されるワイヤハーネス１０を車体のルーフパネル１６へと配索している。
【００１５】
図２に示すように、バックドア１１を構成するドアパネル１３は、ともに樹脂製のインナーパネル１４とアウターパネル１５とからなる。このインナーパネル１４とアウターパネル１５は、図５（Ａ）（Ｂ）に示すように、端縁１４ａ、１５ａを接着剤４０で固着して、内部空間Ｓをあけて一体化するものであるが、接着剤での固着前にワイヤハーネス１０を内部空間Ｓに配索している。
【００１６】
前記インナーパネル１４には、図３にも示すように、上端縁より凹状に切り欠いた四角形状のグロメット嵌合用の切欠１７を設けている。このグロメット嵌合用の切欠１７の周縁１８より、切欠１７と略同形状とした凹形状としたグロメット固着リブ２０を内部空間Ｓへと突設している。
グロメット固着リブ２０の内面には、周方向に連続した１本の突条よりなる位置決めリブ２２を突設している。
【００１７】
ワイヤハーネス１０に外装するグロメット３１はゴムまたはエラストマーから成形しており、図３に示すように、ワイヤハーネス１０を四角筒形状とし、その中心部にワイヤハーネス１０に密着させて貫通させる貫通穴３７を備えている。
【００１８】
グロメット３１は、室内側面３４と室外側面３５と、これら両面３４、３５で挟まれた外周面３６とを有し、室内側面３４と室外側面３５はともに平面よりなる。
外周面３６は、底面３６ａ、両側面３６ｂ、３６ｃ、上面３６ｄの４面よりなり、底面３６ａおよび両側面３６ｂ、３６ｃは、前記インナーパネル１４の切欠１７およびグロメット固着リブにぴったりと接合される第一面３６−１となり、上面３６ｄは、前記アウターパネル１５に接着される第二面３６−２となる。第一面３６−１には、前記グロメット固着リブ２０の内面から突設した位置決めリブ２２に嵌合するガイド溝３８を凹設している。前記第二面３６−２は、相対するアウターパネル１５の内面形状に対応させて、内部空間Ｓ側へ下方傾斜させた斜辺としている。
【００１９】
また、グロメット３１の前記室内側面３４に貫通穴３７の周縁より突設したテープ巻き舌片３２を設け、該テープ巻き舌片３２を貫通穴３７より引き出されたワイヤハーネス１０にテープ巻してグロメット３１をワイヤハーネス１０に取り付けている。
【００２０】
以下に、樹脂製のインナーパネル１４とアウターパネル１５とからなるバックドアの内部に配索するワイヤハーネス１０を車体側へと引き出すワイヤハーネスの配索作業について説明する。
まず、ワイヤハーネス１０は予めグロメット３１のテープ巻舌片３２にテープ巻きして取り付けた状態でインナーパネル１４のアウターパネル接合側に配索する。
ついで、図５（Ａ）（Ｂ）に示すように、インナーパネル１４のグロメット固着リブ２０の内面に接着剤４０を塗布しておく。
次に、図３〜図５に示すように、グロメット固着リブ２０の上端開口および切欠１７の上端開口を通してグロメット３１を差し込む。そのさい、グロメット３１の溝３８をグロメット固着リブの位置決めリブ２２に嵌合させながら差し込んでいく。
グロメット３１の底面３６ａおよび両側面３６ｂ、３６ｃはグロメット固着リブ２０の内面と接合した時点で、図４に示すように、切欠１７およびグロメット固着リブ２０の内部にグロメット３１がぴったりと内嵌され、グロメットの底面３６ａおよび両側面３６ｂ、３６ｃは接着剤４０を介してグロメット固着リブ２０に固着される。
最後に、図５（Ａ）（Ｂ）に示すように、アウターパネル１５をインナーパネル１４に被せ、端縁１４ａ、１５ａ同士を接着剤４０で固着するが、その前に、グロメット３１の傾斜した上面３６ｄに接着剤４０を塗布しておき、インナーパネル１４にアウターパネル１５に被せた時に接着剤４０を介してグロメット３１の上面３６ｄがアウターパネル１５の内面に固着される。
これにより、グロメット３１の外周面の全面がインナーパネル１４側のグロメット固着リブ２０とアウターパネル１５の内面に接着剤４０を介して固着されることとなる。
【００２１】
このように、ワイヤハーネス１０は外装したグロメット３１を、インナーパネル１４の前記切欠１７およびグロメット固着リブ２０に上端開口から差し込むだけで、ドア内部に配索したワイヤハーネス１０をドア外部へと引き出すことができる。よって、従来のように、貫通穴に通す作業を無くすことができ、作業性が向上する。
【００２２】
また、グロメット３１の全周囲が、インナーパネル１４またはアウターパネル１５に接着剤４０で固着されるため、高い防水性を確保することができる。このとき、接着剤４０には、インナーパネル１４とアウターパネル１５とを接合する接着剤４０と同一のものを使用できるため、接着剤の使い分けも不要となる。
【００２３】
さらに、図４（Ｂ）に示すように、グロメット３１に形成した溝３８と、グロメット固着リブ２０に形成した位置決めリブ２２とを嵌合させることにより、グロメット３１の軸線方向を規定できると共に、グロメットを常に正確な角度で差し込むことができる。これにより、グロメット３１の外周面をグロメット固着リブ２０の内面およびアウターパネル１５の内面とぴったりと面接触でき、グロメット３１の外周面全面を隙間なく接着剤４０を介してインナーパネル１４側およびアウターパネル１５側と固着できる。
【００２４】
さらにまた、グロメット３１の上面３６ｄを斜辺としているため、図５（Ｂ）に示すように、グロメット３１をアウターパネル１５とインナーパネル１４とで挟み込んで固定することができ、グロメット３１の固定をより確実にすることができる。
【００２５】
図６は第１変形例を示す。第１変形例では、グロメット３１の両側面および底面に溝を設けていないと共に、グロメット固着リブ２０側にも位置決めリブを設けていない。該構成としても、グロメット３１の先端面をインナーパネル１４の外面と位置合わせてして、切欠１７およびグロメット固着リブ２０に上端開口よりグロメット３１を差し込むと接着剤を介して正規位置に固着できる。
【００２６】
図７は第２変形例を示す。第２変形例では、グロメット嵌合用の切欠１７は、インナーパネル１４の上端縁よりＵ字形状に切り欠いて形成し、切欠１７の周縁１８より突設するグロメット固着リブ２０も断面Ｕ字形状としている。また、グロメット３１も外周面３６の形状も、グロメット固着リブ２０の形状に対応させて、底面３６ａおよび両側面３６ｂ、３６ｃで形成される前記第一面３６−１を、断面Ｕ字状の連続する湾曲面としている。
【００２７】
前記第１変形例、第２変形例とも他の構成は実施形態と同一であるため、同一符号を付す。また、グロメットの取り付け作業は実施形態と同様であり、同様の作用効果をそなえ、ワイヤハーネスをドアパネル側から貫通レスで簡単に外部に引き出すことができ、かつ、止水性能を優れたものとすることができる。
【図面の簡単な説明】
【００２８】
【図１】本発明の実施形態に係る自動車後部を示す部分斜視図である。
【図２】図１に示すバックドアの分解斜視図である。
【図３】図２に示すインナーパネルの要部とグロメットの拡大斜視図である。
【図４】インナーパネルにグロメットを取り付けた状態を示し、（Ａ）は斜視図であり、（Ｂ）は正面図である。
【図５】グロメットの取付構造を示す説明図であり、（Ａ）は取り付け前の状態を示し、（Ｂ）は取り付け後の状態を示す図である。
【図６】本発明の第１変形例に係るインナーパネルの要部とグロメットを示す拡大斜視図である。
【図７】本発明の第２変形例に係るインナーパネルの要部とグロメットを示す拡大斜視図である。
【図８】従来例の図である。
【符号の説明】
【００２９】
１０  ワイヤハーネス
１４  インナーパネル
１５  アウターパネル
１７  グロメット嵌合用切欠
２０  グロメット固着リブ
２２  位置決めリブ
３１  グロメット
３６  外周面
３６−１  第一面
３６−２  第二面
３８  溝
４０  接着剤
【図１】
2006240382.tif 000003
【図２】
2006240382.tif 000004
【図３】
2006240382.tif 000005
【図４】
2006240382.tif 000006
【図５】
2006240382.tif 000007
【図６】
2006240382.tif 000008
【図７】
2006240382.tif 000009
【図８】
2006240382.tif 000010